(57)【要約】【課題】  本発明は、内容物のずり下がりを防止でき、かつ、最前列以降の内容物も確認できる仕切り体を提供することを課題とする。【解決手段】  本発明にかかる仕切り体１は、縦板３と、第一横板４と、第二横板５と、を備えている。そして、縦板３に第一横板４及び第二横板５が交差し、第一横板４と第二横板５とが平行となり、かつ、第一横板４の下端位置と第二横板５の下端位置とが略同一高さとなるように、縦板３に第一横板４及び第二横板５を嵌合させる。さらに、第一横板４の高さを縦板３の高さに略等しくし、第二横板５の高さを縦板３の高さよりも低くする。【選択図】図１
2008087848.tif 000002
【特許請求の範囲】
【請求項１】
縦板と、第一横板と、第二横板と、を備え、
該縦板に該第一横板及び該第二横板が交差し、該第一横板と該第二横板とが平行となり、かつ、第一横板の下端位置と該第二横板の下端位置とが略同一高さとなるように、該縦板に該第一横板及び該第二横板が嵌合し、
該第一横板の高さは、該縦板の高さに略等しく、
該第二横板の高さは、該縦板の高さよりも低い、仕切り体。
【請求項２】
該第二横板の高さが該縦板の高さの３分の１以下である、請求項１記載の仕切り体。
【請求項３】
該第二横板の高さは、該第一横板と該第二横板との間に内容物を入れた場合に、内容物を係止できる高さであって、かつ、該第二横板側から内容物の略全体が確認できる高さである、請求項１記載の仕切り体。
【請求項４】
該第一横板と該第二横板とをそれぞれの底部で連結する連結板をさらに備え、
該連結板と該第一横板と該第二横板とが一体となって連接横板となり、
該連接横板は、一枚の平板状の板片が２箇所で折り曲げられることによって構成される、
請求項１乃至３のうちいずれか一の項に記載の仕切り体。
【請求項５】
二の該連接横板を備え、
両連接横板の第一横板が略同一高さであり、
両連接横板の第二横板の間に両連接横板の第一横板が配置され、両連接横板の第一横板が平行となり、かつ、両連接横板の第一横板の下端位置が略同一高さとなるように、該縦板に該二の連接横板が嵌合した、請求項４記載の仕切り体。
【請求項６】
請求項１乃至５のうちいずれか一の項に記載の仕切り体と、
該仕切り体を装填する箱体と、を備え、
該箱体には、全周囲にわたって破断線が施されており、
該破断線の高さ位置が、該縦板の上端位置の高さの３分の１以下の高さ位置である、包装体。
【請求項７】
該破断線の高さ位置は、該第二横板の上端位置に略等しい、請求項６記載の包装体。
【請求項８】
該第二横板と、該第二横板が対面する該箱体の内壁面との距離が、該第一横板と該第二横板との距離に略等しい、請求項６又は７記載の包装体。
【発明の詳細な説明】
【技術分野】
【０００１】
本発明は、包装体に関し、特に、そのまま陳列ケースとして使用できる包装体に関する。また、本発明は、包装体に用いられる仕切り体に関し、特に、そのまま陳列ケースとして使用できる包装体に用いられる仕切り体に関する。
【背景技術】
【０００２】
開梱された状態で、そのまま陳列ケースとして使用できる包装体として、特許文献１では、第１仕切り材と、この第１仕切り材に直交する第２仕切り材とからなる仕切り部材を備えた展示兼用輸送箱が提案されている。この展示兼用輸送箱は、箱に破断手段を備えており、この破断手段により箱の一部を破断することで、内部に収容した商品を露出させることができる。
【特許文献１】特開２００５―２２５５４９号公報
【発明の開示】
【発明が解決しようとする課題】
【０００３】
ここで、特許文献１の記載および図面によれば、仕切り材を構成する第１仕切り材や第２仕切り材は、すべて同じ高さとなっている。例えば内容物がお茶パックなどの自立しにくいものをこのような包装体を使用して陳列する場合、内容物と仕切り体との関係において２つの陳列方法が考えられる。第一の方法として、仕切り体の一区画に内容物を複数個挿入する方法が考えられる。この場合、内容物を少しずつ抜き取ると、残りの内容物がずり下がってしまい、消費者にだらしない印象を与えてしまう。第二の方法として、仕切り体の一区画に１つずつ内容物を挿入する方法が考えられる。この場合、最前列の内容物が抜き取られると、最前列以外の内容物は仕切り体に隠れてしまい、見えなくなってしまう。このように、従来の仕切り体では、十分なディスプレイ効果を発揮できるとはいえなかった。
【０００４】
そこで本発明は、内容物のずり下がりを防止でき、かつ、最前列以降の内容物も確認できる仕切り体を提供することを課題とする。
【課題を解決するための手段】
【０００５】
上記課題を解決するため、本願発明にかかる仕切り体は、縦板と、第一横板と、第二横板と、を備え、該縦板に該第一横板及び該第二横板が交差し、該第一横板と該第二横板とが平行となり、かつ、第一横板の下端位置と該第二横板の下端位置とが略同一高さとなるように、該縦板に該第一横板及び該第二横板が嵌合し、該第一横板の高さは、該縦板の高さに略等しく、該第二横板の高さは、該縦板の高さよりも低い（請求項１）。
【０００６】
かかる構成によれば、第一横板は、第一横板と第二横板との間に挿入された内容物を係止することができる。また、縦板の上辺と第二横板の上辺とは離間しているため、この間から内容物を確認することができる。
【０００７】
また、上記仕切り体において、該第二横板の高さが該縦板の高さの３分の１以下としてもよい（請求項２）。
【０００８】
かかる構成によれば、縦板の上辺と第二横板の上辺とには、縦板の３分の２以上の間が開くことになる。よって、第一横板と第二横板との間に内容物が挿入された場合、中央部分を含む内容物のほとんどの部分を確認することができる。
【０００９】
また、上記仕切り体において、該第二横板の高さは、該第一横板と該第二横板との間に内容物を入れた場合に、内容物を係止できる高さであって、かつ、該第二横板側から内容物の略全体が確認できる高さとしてもよい（請求項３）。
【００１０】
かかる構成によれば、内容物の略全体が確認できる。よって、第一横板と第二横板との間に内容物が挿入された場合、ディスプレイ効果を最大限発揮させることができる。
【００１１】
また、上記仕切り体において、該第一横板と該第二横板とをそれぞれの底部で連結する連結板をさらに備え、該連結板と該第一横板と該第二横板とが一体となって連接横板となり、該連接横板は、一枚の平板状の板片が２箇所で折り曲げられることによって構成されるようにしてもよい（請求項４）。
【００１２】
かかる構成によれば、第一横板及び第二横板を互いに固定させることができる。よって、両横板の安定性を向上させることができる。
【００１３】
また、上記仕切り体において、二の該連接横板を備え、両連接横板の第一横板が略同一高さであり、両連接横板の第二横板の間に両連接横板の第一横板が配置され、両連接横板の第一横板が平行となり、かつ、両連接横板の第一横板の下端位置が略同一高さとなるように、該縦板に該二の連接横板が嵌合するようにしてもよい（請求項５）。
【００１４】
かかる構成によれば、連接横板の第二横板が両外側に位置することになる。よって、本発明によって得られる上記の各効果を仕切り体の両外側において発揮することができる。
【００１５】
さらに、上記課題を解決するため、本願発明にかかる包装体は、上記の仕切り体と、該仕切り体を装填する箱体と、を備え、該箱体には、全周囲にわたって破断線が施されており、該破断線の高さ位置が、該縦板の上端位置の高さの３分の１以下の高さ位置である（請求項６）。
【００１６】
かかる構成によれば、破断線に沿って箱体を破断すると、縦板の上辺と箱体の内側壁の上辺とには、縦板の３分の２以上の間が開くことになる。よって、箱体の内側壁と第二横板との間に内容物が挿入された場合、中央部分を含む内容物のほとんどの部分を確認することができる。また、箱体の内側壁と第二横板との間に挿入された内容物を取り除いた場合も、第一横板と第二横板との間に挿入された内容物を確認することができる。
【００１７】
また、上記包装体において、該破断線の高さ位置は、該第二横板の上端位置に略等しくしてもよい（請求項７）。
【００１８】
かかる構成によれば、破断線に沿って箱体を破断すると、第二横板の上辺と箱体の内側壁の上辺とは、高さ位置が略等しくなる。よって、開梱後の包装体と仕切り体とには統一感があり、消費者によい印象を与えることができる。
【００１９】
また、上記包装体において、該第二横板と、該第二横板が対面する該箱体の内壁面との距離が、該第一横板と該第二横板との距離に略等しくてもよい（請求項８）。
【００２０】
かかる構成によれば、第一横板と第二横板との間に挿入された内容物と同じものを、第二横板と箱体の内壁面との間に同じように配列することができる。
【発明の効果】
【００２１】
本願発明によれば、第一横板と第二横板との間に縦板の高さに略等しい高さの内容物が挿入された場合、第一横板は内容物を係止することができる。また、縦板の上辺と第二横板の上辺とは離間しているため、縦板の上辺と第二横板の上辺との間から内容物を確認することができる。よって、内容物のずり下がりを防止でき、かつ、最前列以降の内容物も確認できる仕切り体を提供することができる。
【発明を実施するための最良の形態】
【００２２】
本願発明にかかる仕切り体１および包装体２を実施するための最良の形態について、図１〜６を参照しつつ以下に説明する。
【００２３】
まず、本実施形態にかかる仕切り体１及び包装体２の構成について説明する。図１は、仕切り体１の斜視図である。図１に示すように、仕切り体１は、縦板３と、第一横板４と、第二横板５と、連結板６と、を備えている。
【００２４】
縦板３は、仕切り体１の中央に位置している。縦板３は、一方向に延びる平板であって、その板の面形状は略長方形である。また、本実施形態において、仕切り体１が有する縦板３は１枚である。
【００２５】
第一横板４は、縦板３と直角になるように延びる平板であって、縦板３と交差して嵌合している。第一横板４の面形状は略長方形であるが、第一横板４の上部には半円弧状の切欠部７が設けられている。また、第一横板４の高さは、縦板３の高さに略等しくなっている。なお、本実施形態において、仕切り体１は第一横板４を２枚有しており、これらは平行に並んでいる。
【００２６】
第二横板５は、縦板３と直角になるように、かつ、第一横板４と平行になるように延びる平板状であって、縦板３と交差して嵌合している。第二横板５の面形状は略長方形であって、第二横板５の高さは、縦板３の高さよりも低く、縦板３の高さの３分の１以下である。なお、第一横板４の下端位置と第二横板５の下端位置とは略同一高さとなっている。また、本実施形態において、仕切り体１は第二横板５を２枚有しており、これらは平行に並んでいる。なお、上述の通り、仕切り体１は、第一横板４および第二横板５をそれぞれ２枚ずつ有しているが、これら全ての板４、５は平行の関係にあり、隣接する板の間隔はそれぞれ等しくなっている。また、２枚の第一横板４は、２枚の第二横板５の間に配置されている。さらに、縦板３の端部から第二横板５までの距離と、第一横板４から第二横板５までの距離とは、等しくなっている。
【００２７】
連結板６は、第一横板４と第二横板５とをそれぞれの底部で連結させる役割を有している。連結板６は、第一横板４及び第二横板５と直角に交わって水平に延びる平板であって、その板の面形状は長方形である。連結板６と第一横板４と第二横板５とは、一体となって連接横板８を構成している。つまり、本実施形態にかかる仕切り体１は、二の連接横板８を備えており、縦板３に二の連接横板８が嵌合している。
【００２８】
図２は、包装体２の斜視図である。図２に示すように、本実施形態にかかる包装体２は、仕切り体１と、箱体９とから主に構成されている。このうち仕切り体１は、図１に示した仕切り体１と同一のものである。また、箱体９にこの仕切り体１が装填されることで、包装体２が構成される。
【００２９】
箱体９は、通常のＡ型ケース（いわゆる「ミカン箱型」）である。箱体９には、全周囲にわたって破断線１０が施されている。また、破断線１０の高さ位置は、縦板３の上端位置の高さの３分の１以下の高さ位置であって、第二横板５（図４参照）の高さ位置に略等しくなっている。なお、箱体９は、仕切り体１が収まるように作られており、具体的には、箱体９の縦幅は仕切り体１（縦板３）の幅に等しく、箱体９の横幅は仕切り体１（連接横板８）の幅に等しく、箱体９の高さは仕切り体１（縦板３）の高さに等しくなっている。
【００３０】
以上が、本実施形態にかかる仕切り体１及び包装体２の構成についての説明である。次に、仕切り体１の組立方法について説明する。なお、箱体９の組立方法については、一般的なＡ型ケースの組立方法と同じであるため、説明を省略する。図３は、仕切り体１の組立工程を示した図であって、（ａ）〜（ｄ）は組立工程を順に並べたものである。
【００３１】
まず、図３（ａ）に示す連接横板シート（板片）８Ａを折込んで連結横板８を構成する。図３（ａ）は、連接横板シート８Ａを折込む前の図である。連接横板シート８Ａは、一枚の平板状の段ボールシートでできており、これに切り欠き加工と罫線加工とが施されている。連接横板シート８Ａには、２つの罫線１１、１２が施されており、この罫線１１、１２を境界として連接横板シート８Ａは、上部４Ａ、中部６Ａ、および下部５Ａに分けることができる。このうち上部４Ａが最も面積が広く、中部６Ａの面積と下部５Ａの面積とはほぼ等しくなっている。また、上部４Ａには、上端の中央付近から内部側に向かって伸延する切込み１３が施されており、上端付近において切込み幅が大きく広がっている。同様に、下部５Ａにも下端の中央付近から内部側に向かって伸延する切込み１４が施されており、下端付近において切込み幅が大きく広がっている。
【００３２】
次に、図３（ｂ）に示すように、各罫線１１、１２に沿って連接横板シート８Ａを折曲げる。このとき、上部４Ａと中部６Ａとが直角になるようにし、中部６Ａと下部５Ａとが直角になるようにする。これにより、連接横板シート８Ａは図１に示した形状を有する連接横板８となる。つまり、連結板６と第一横板４と第二横板５とが一体となって連接横板８となり、連接横板８は一枚の平板状の連接横板シート（板片）８Ａが２箇所の罫線１１、１２で折り曲げられることによって構成される。さらに、同じ連接横板シート８Ａを用いて、同じようにもう１枚折込む。
【００３３】
次に、図３（ｃ）に示すように、折込まれて構成された２つの連接横板８を、両連接横板８の第二横板５の間に第一横板４が配置され、両連接横板８の第一横板４が平行となり、かつ、両連接横板８の第一横板４の下端位置が略同一高さとなるように並べる。このとき、両連接横板８の第一横板４の間隔が、第一横板４と第二横板５との間隔に等しくなるようにする。
【００３４】
その後、縦板３を連接横板８の上方から挿入し、嵌合する。図３（ｃ）に示すように、縦板３は４つの切込み１５、１６を有している。このうち内側の切込み１５は、縦板３の中央付近まで及んでいる。一方、両端側の２つの切込み１６は、内側の切込み１５よりも浅い位置で止まっている。また、これら４つの切込み１５、１６は等間隔に並んでいる。縦板３を連接横板８に挿入する際には、両端側の切込み１６が第二横板５に施された切込み１４に合うようにし、内側の２つの切込み１５が第一横板４に施された切込み１３に合うようにする。
【００３５】
図３（ａ）〜（ｃ）の工程を経ることで、縦板３が２つの連接横板８と結合して、図３（ｄ）に示すような仕切り体１が完成する。なお、図３（ｄ）は、図１と全く同じ図である。
【００３６】
以上が、仕切り体１の組立方法についての説明である。このように、本実施形態にかかる仕切り板１は、縦板３や連接横板８といったわずかな部材で組み立てることができる。そのため、組立作業が非常に簡単で、使用する材料が過大になることもない。また、縦板３や連接横板８のもととなる段ボールシートの製造には、単純な罫線加工と切込み加工が施されるだけで、複雑な加工を必要としない。よって、段ボールシートの加工費も抑えることができる。
【００３７】
次に、本実施形態にかかる包装体２の使用方法について説明する。図４は、破断線１０に沿って箱体９の側面を切断し、箱体９の上部を排除した状態の図である。なお、図中、包装体２の構造を理解しやすいように、内容物Ｃ（図５参照）は省かれている。図４に示すように、破断線１０の位置が第二横板５の高さに略等しいことから、破断線１０を切断すると、箱体９の側壁の高さが第二横板５の高さに略一致する。そのため、第二横板５から第二横板５が対面する箱体９の内壁面までの距離と、第一横板４から第二横板５までの距離と、両連接横板８の第一横板４同士の距離とは、等しくなっている。この包装体２を使用して内容物Ｃの展示が行われる。
【００３８】
図５は、包装体２を用いた内容物Ｃの陳列方法を示した図であって、一部が既に取り除かれた状態を示している。なお、内容物Ｃは、自立が難しいお茶パックである。図５に示すように、箱体９の側壁と第二横板５の間（以下「最前列」と記載する。）、第二横板５と第一横板４との間（以下、「二列目」と記載する。）、および、第一横板４と第一横板４との間（以下「三列目」と記載する。）は、内容物Ｃの寸法に合わせて作られており、列毎に内容物Ｃを配列できるようになっている。
【００３９】
内容物Ｃは自立性を有しないため、最前列に並べられた内容物Ｃは、二列目に並べられた内容物Ｃに寄りかかった状態となる。ところが、最前列の内容物Ｃは、箱体９の側壁によって下部が係止されているため、ずり下がることはない。同様に、二列目に並べられた内容物Ｃは、第一横板４に寄りかかった状態になるが、下部が第二横板５に係止されているため、ずり下がることはない。これにより、いずれの列に並べられた内容物Ｃもずり下がらずに陳列することができ、消費者にだらしない印象を与えることはない。
【００４０】
また、破断線１０に沿って破断されて上部が取り除かれた箱体９は、その側壁の高さが縦板３の高さの３分の１以下となる。そのため、最前列の内容物Ｃは、外部から全体を確認することができる。同様に、第二横板５の高さは、縦板３の高さの３分の１以下であるため、二列目の内容物Ｃは、外部から全体を確認することができる。よって、本実施形態によれば、最前列の内容物Ｃが取り除かれても、二列目の内容物Ｃを確認することができる。また、第一横板Ｃの上部に半円弧状の切欠部７を設けているため、三列目の内容物Ｃの一部も確認することができる。
【００４１】
なお、包装体２によるディスプレイ効果を最大限に発揮するには、第二横板５の高さを第二横板５側から内容物Ｃの略全体が確認できる高さとすべきである。ただし、上記のように、第二横板５の高さは、少なくとも内容物Ｃを係止できる高さである必要がある。さらに、箱体９の構造等により、破断線１０の下限位置が決まってしまう場合もある。例えば、箱体９の底面から５ｃｍ以下に破断線１０を施すと、製函機が使えなくなるため、破断線１０は箱体９の底面から５ｃｍよりも上に施す必要がある。
【００４２】
図６は、本実施形態にかかる包装体２を重ねた状態の図である。図６に示すように、包装体２は、破断線１０によって切り取られて上部が排除されても、縦板３と２つの第一横板４とは、同じ高さであり、また、縦板３と第一横板４とは直交して嵌合している。そのため、仕切り体１は非常に安定しており、包装体２の上部が排除された状態で上部に箱体９を乗せてもしっかりと箱体９を支えることができる。これにより、下段に位置する包装体２であっても、内容物Ｃを陳列することができる。
【００４３】
以上、本願発明にかかる仕切り体１および包装体２を実施するための最良の形態について、図を参照しつつ説明した。以上では、第一横板４の上部に半円弧状の切欠部７を設ける場合について説明したが、これに替え、又はこれに加えて、図７に示すように、第一横板４の中央部に開口部１７を設けても良い。かかる構成によれば、最前列及び二列目に並べられた内容物Ｃがとり抜かれても、三列目に並べられた内容物Ｃをこの開口部１７を通してから確認することができる。加えて、仕切り体１の軽量化を図ることができる。
【００４４】
また、以上では、仕切り体１が縦板３と連接横板８とから構成される場合について説明したが、これに加えて、２つの連接横板８の間隔を広げ、その間に他の平板を挿入するようにしてもよい。かかる構成によれば、内容物Ｃをより多く収容することができる。
【００４５】
また、以上では、２つの連接横板８の間隔が、第一横板４と第二横板５との間隔と等しい場合について説明したが、２つの連接横板８の間隔を、第一横板４と第二横板５との間隔と異なるようにしてもよい。かかる構成によれば、２種類の内容物を包装し、陳列することができる。
【産業上の利用可能性】
【００４６】
本発明にかかる仕切り体によれば、内容物のずり下がりを防止でき、かつ、最前列以降の内容物も確認できる仕切り体を提供することができる。よって、包装体に用いられる仕切り体の技術分野において、特に、そのまま陳列ケースとして使用できる包装体に用いられる仕切り体の技術分野において有益である。
【図面の簡単な説明】
【００４７】
【図１】本発明の一実施形態たる仕切り体の斜視図である。
【図２】本発明の一実施形態たる包装体の斜視図である。
【図３】図１の仕切り体の組立工程を示した図である。
【図４】図２の包装体の上部を排除した状態の図である。
【図５】図４の包装体に内容物を並べた状態の図である。
【図６】図４の包装体を上下に重ねた状態の図である。
【図７】本発明の他の実施形態たる仕切り体の斜視図である。
【符号の説明】
【００４８】
１  仕切り体
２  包装体
３  縦板
４  第一横板
５  第二横板
６  連結板
８  連接横板
９  箱体
１０  破断線
【図１】
2008087848.tif 000003
【図２】
2008087848.tif 000004
【図３】
2008087848.tif 000005
【図４】
2008087848.tif 000006
【図５】
2008087848.tif 000007
【図６】
2008087848.tif 000008
【図７】
2008087848.tif 000009